(57)【特許請求の範囲】
【請求項１】
左右の縦枠の互いに対向する内側面の上端部間に上横枠を架設し且つ左右の縦枠の上端が天井に当接又は接近して設けられるハイドア用のドア枠において、上横枠の前端面を縦枠の前端面よりも後方向に引き込ませ、ドアを閉じた際にドアの後面の上端部が上記上横枠の引き込んだ前端面に対向することを特徴とするドア枠の構造。
【発明の詳細な説明】
【技術分野】
【０００１】
本発明は、ドア枠、特に、縦枠の上端が天井に当接又は接近して設けられるハイドア用のドア枠の構造に関するものである。
【背景技術】
【０００２】
従来から、左右の縦枠の上端部の互いに対向する内側面間に上横枠を架設し且つ左右の縦枠の上端が天井に当接又は接近して設けられるハイドア用のドア枠において、上横枠の下面部の前後方向の略中間部分を下方に突出させて戸当りを設けたものが特許文献１により知られている。
【０００３】
上記の特許文献１に示された従来例にあっては、縦枠の前後方向の巾と上横枠の前後方向の巾とが同じで、上横枠の前後方向の端面と縦枠の前後方向の端面とが面一となっており、ドアを閉じた際に、ドアの背面の上端部が上横枠の下面部に設けた下方に突出する戸当りの前面に対向すると共にドアの上端面が上横枠の戸当りよりも前側の上横枠の下面の下方に位置するようになっている。つまり、従来にあっては、ドアを閉じた状態で、ドアの上端よりも上に必ず上横枠が露出して見えるような構造となっている。
【０００４】
一方、ドアの上下長さを最大限確保するため、ドア枠の上端を天井に当接又は接近させて「ハイドア」とすることが行われている。そこで、上記の従来例に示されるようなドア枠の上端を天井に当接又は接近させて「ハイドア」とすることが考えられるが、ドアを閉じた場合、天井の下面とドアの上端との間に上横枠の前端面が露出することになり、ドアを閉めた状態で、部屋と部屋との天井面があたかも連続してつながっているような外観とならないという問題がある。
【０００５】
特に、左右の縦枠と上横枠とを枠組みした門型のドア枠においては、下横枠がないので、ドアを介して隣合う部屋の床は途切れることなく面一に連続して形成されることになり、このため、外観上天井も連続しているように見せたいのであるが、上記のように上横枠がドアの上端面と天井との間に露出して見え、ドアを閉めた状態で、部屋と部屋との床及び天井があたかも連続してつながっているような外観とすることができない。
【特許文献１】実開平６−１２６８６号公報
【発明の開示】
【発明が解決しようとする課題】
【０００６】
本発明は上記の従来の問題点に鑑みて発明したものであって、ドアを閉めた状態で、ドアの上端を天井に近づけることができて、ドアを介して隣合う部屋と部屋との天井があたかも連続してつながっているような外観とすることができるドア枠の構造を提供することを課題とするものである。
【課題を解決するための手段】
【０００７】
上記課題を解決するために本発明に係るドア枠の構造は、左右の縦枠１の互いに対向する内側面１ｂの上端部間に上横枠２を架設し且つ左右の縦枠１の上端が天井３に当接又は接近して設けられるハイドア用のドア枠４において、上横枠２の前端面２ａを縦枠１の前端面１ａよりも後方向に引き込ませ、ドア５を閉じた際にドア５の後面の上端部が上記上横枠２の引き込んだ前端面２ａに対向することを特徴とするものである。
【０００８】
このような構成とすることで、ドア５を閉じた際に、ドア５の上端が天井３に接近してドア５の上端面と天井３との間に上横枠２が露出して見えないように構成でき、この結果、ドア５の上端を天井３に近づけることができて、ドア５を介して隣合う部屋と部屋との天井３があたかも連続してつながっているような外観とすることができることになる。
【発明の効果】
【０００９】
本発明は、上記のように、ハイドア用のドア枠において、上横枠の前端面を縦枠の前端面よりも後方向に引き込ませ、ドアを閉じた際にドアの後面の上端部が上記上横枠の引き込んだ前端面に対向させたので、ドアの上端面と天井との間に上横枠が露出して見えず、ドアを介して隣合う部屋と部屋との天井があたかも連続してつながっているような外観とすることができる。
【発明を実施するための最良の形態】
【００１０】
以下、本発明を添付図面に示す実施形態に基いて説明する。
【００１１】
本発明のドア枠４は、左右の縦枠１と、左右の縦枠１の上端部の互いに対向する内側面１ｂ間に架設される上横枠２とで構成される門型をしたもので、縦枠１は天井高さとほぼ同じ長さをしていてるいわゆるハイドア用のドア枠４である。つまり、該ドア枠４を隣接する部屋６、６’間を仕切る壁７に設けた開口部８に取付けた際に、左右の縦枠１の上端が天井３に当接又は接近するように立設されるようになっている。
【００１２】
上記ドア枠４における上横枠２は上面が左右の縦枠１の上端面と面一となるように、左右の縦枠１の上端部の互いに対向する内側面１ｂ間に架設してある。この上横枠２の前後方向の巾は図１に示すように縦枠１の前後方向の巾よりも短く、該上横枠２の前端面２ａが縦枠１の前端面１ａよりも後方向に引き込ませてあり、その後方向への引き込み寸法は、ドア枠４に取付けるドア５の前後面間の厚みよりも少し長い寸法となっている。また、上横枠２の後端面２ｂは縦枠１の後端面１ｃと面一、または、図３のように縦枠１の内側面１ｂと縦枠１の後端面１ｃとのなすコーナ部分が面取り部１ｄとなっている場合は、上横枠２の後端面２ｂの前後方向の位置が、縦枠１の内側面１ｂと縦枠１の後端面１ｃとのなすコーナ部分の面取り部１ｄの前端に一致するようになっている。
【００１３】
左右の縦枠１の対向内面にはそれぞれ戸当りとなる戸当り部１０が上下方向にわたって突設してあり、この戸当り部１０の前端面は左右の縦枠１の前端面よりも後方に引き込ませてあり、上記上横枠２の前端面が戸当り部１０の前端面と前後方向において面一となっている。
【００１４】
上記ドア枠４は現場において天井高さに応じて縦枠１の下端部を切断して、隣接する部屋６、６’間を仕切る壁７に設けた開口部８に嵌め込むように床１２上に立設する。この場合、左右の縦枠１の上端面及び上横枠２の上面はそれぞれ天井３に当接又は僅かな隙間を介して接近するように立設するものである。なお、図３に示す実施形態において、壁７は柱材７ａの前後両面に壁面板７ｂを取着すると共に壁面板７ｂの表面にクロスのような表面材７ｃを取着して構成してある。また、本発明においては、ドア枠４が門型をしていて下横枠が存在しないので、開口部８部分において、隣合う部屋６、６’の床１２が途切れることなく連続している。
【００１５】
ドア枠４の一方の縦枠１にはドア５がヒンジ部材１１を介して開閉自在に取付けられる。このドア５は、上下高さが縦枠１よりも少し短く、ドア５を閉じた際にドア５の後面の上端部が上記上横枠２の引き込んだ前端面２ａに対向するようになっている。つまり、ドア５の上端のレベルは、上横枠２の引き込んだ前端面２ａの上端よりも下位置で且つ上横枠２の引き込んだ前端面２ａの下端よりも上位置と成るように設定してあって、必ず、ドア５を閉じた際にドア５の後面の上端部が上記上横枠２の引き込んだ前端面２ａに対向するようになっている。したがって、上記上横枠２の引き込んだ前端面２ａは前述の縦枠１に設けた戸当り部１０と同様に戸当りとしての役目をする。
【００１６】
ドア５は閉じた状態で、図１に示すようにドア枠４の前後巾内に収まり、この状態で、図１のようにドア５の上端面が天井３に小間隙（ドア５の開閉に必要な小間隙）を介して直接対向している。したがって、ドア５を閉じた状態で、部屋６側から図１の矢印イ方向からドア５の上端と天井３との間を見ると、ドア５の上端面と天井３との間に上横枠２の前端面２ａが見えず、あたかも、開口部８部分において部屋６の天井３がそのまま隣室の部屋６’の天井３として連続してつながっているような外観となる。つまり、ドア枠４は上横枠２を構造上必要とするが、この上横枠２を設けたにも係らず、上記のように、ドア５の上端面と天井３との間に上横枠２の前端面２ａが見えず、あたかも、部屋６の天井３がそのまま隣室の部屋６’の天井３として連続してつながっているような外観とすることができるのである。
【００１７】
これにより、門型のドア枠４を設けたものにおいて、ドア５を介して隣合う部屋６、６’の床１２が途切れることなく面一に連続して形成されるだけでなく、一方の部屋６側からは、ドア５を介して隣合う部屋６、６’の天井３も連続しているように見せることができることになる。
【図面の簡単な説明】
【００１８】
【図１】本発明の一部破断した縦断面図である。
【図２】同上の正面図である。
【図３】同上の一部破断した横断面図である。
【符号の説明】
【００１９】
１  縦枠
１ａ  前端面
１ｂ  内側面
２  上横枠
２ａ  前端面
３  天井
４  ドア枠
５  ドア
【図１】
0004752820.tif 000002
【図２】
0004752820.tif 000003
【図３】
0004752820.tif 000004